(57)【要約】      （修正有）【課題】製本装置を大型化することなく、簡単な構造で製本強度を達成することが可能な製本装置を提供する。【解決手段】用紙束の端辺部を貼着して製本処理する製本装置であり、製本装置の用紙搬送路に、用紙の製本処理時に貼着する端辺側に切り込みを形成する切り込み形成手段を備える。切り込み形成手段は、用紙搬送路の一部を形成する一対の用紙搬送ガイド４１，４２と、回動可能に支持されたブラケット６１に設けられたカッター６２と、一対の用紙搬送ガイド４１，４２によって形成される用紙搬送路にカッター６２を常に臨むように付勢する付勢手段と、を有し、搬送される用紙の端辺側がカッター６２に接触して切り込みが形成され、切り込みが形成された用紙の搬送によってブラケット６１が付勢手段の付勢力に抗して押動され、カッター６２が用紙から離間する。【選択図】図１１
2013075462.tif 000002
【特許請求の範囲】
【請求項１】
用紙束の端辺部を貼着して製本処理する製本装置であり、
前記製本装置の用紙搬送路に、用紙の製本処理時に貼着する端辺側に切り込みを形成する切り込み形成手段を備えることを特徴とする製本装置。
【請求項２】
前記切り込み形成手段は、
前記用紙搬送路の一部を形成する一対の用紙搬送ガイドと、
回動可能に支持されたブラケットに設けられたカッターと、
前記一対の用紙搬送ガイドによって形成される用紙搬送路に前記カッターを常に臨むように付勢する付勢手段と、
を有し、
搬送される用紙の端辺側が前記カッターに接触して切り込みが形成され、
前記切り込みが形成された用紙の搬送によって前記ブラケットが前記付勢手段の付勢力に抗して押動され、
前記カッターが前記用紙から離間することを特徴とする請求項１に記載の製本装置。
【請求項３】
前記カッターの一部を、前記ブラケットから突出して設け、
前記カッターの突出長さによって前記用紙の切り込み長さを設定することを特徴とする請求項２に記載の製本装置。
【請求項４】
用紙束の端辺部を貼着して製本処理する製本装置であり、
用紙の製本処理時に貼着する端辺側に切り込みを形成する切り込み形成手段を備え、
前記製本装置の用紙搬送路に、スイッチバック経路を配置し、
前記スイッチバック経路の次段に前記切り込み形成手段を備えることを特徴とする製本装置。
【発明の詳細な説明】
【技術分野】
【０００１】
この発明は、プリンター、コピー機、印刷機などの画像形成装置から排出される用紙を後処理し製本する製本装置に関する。
【背景技術】
【０００２】
一般的な製本装置の一例は、用紙整列装置及び製本搬送装置からなる用紙処理装置と、用紙搬送装置と、テープ供給装置と、用紙後処理手段として機能するテープ加熱装置と、収納スタッカとを包含して構成される（特許文献１）。
【０００３】
このような製本装置では、例えばテープ加熱装置に用紙束が移動すると、テープ供給装置からテープが供給され、またテープ供給装置からテープを供給すると、テープ加熱装置に用紙束が移動され、用紙束の端部背面及び側面にテープを付着させる製本工程が行われ、製本完成品は製本搬送装置によって収納スタッカに積載される。
【０００４】
また、製本処理としては、印刷された用紙を集積した一冊の用紙束に対して糊付け製本処理があり、糊付け製本装置としては、糊吐出ノズルを用いて用紙に糊を吐出する装置、糊収容箱に糊車を設置し、回転する糊車の外周に糊を付着させ糊車の外周を用紙に接触させて接触転写する装置、ノズルよりホットメルト剤（熱融着剤）と加熱圧縮空気の混合体を吐出するホットメルト塗布装置、粘着性を有する糊が予め塗布されたテープを加熱しながら用紙束の背部に貼り付けるテープ貼り装置、等が知られている。
【０００５】
このような一般的な製本装置においては、用紙束をクランプ装置により把持した後、ミーリング装置によって用紙束の端辺に複数の切り欠き溝を形成して、この切り欠き溝を有する用紙束の端辺側に糊を塗布する製本装置が従来の印刷装置で行われ、また用紙搬送路に、用紙の製本処理時に糊が塗布される端辺側に切り欠き部を形成するものがある（特許文献２）。
【先行技術文献】
【特許文献】
【０００６】
【特許文献１】特開平８−３０１５０４号公報
【特許文献２】特開２００７−６２１４５号公報
【発明の開示】
【発明が解決しようとする課題】
【０００７】
このように、用紙の製本処理時に、糊を塗布するために用紙束の端辺に複数の切り欠き溝を形成したり、切り欠き部を形成するものでは、ごみが発生し装置が汚れ、またごみの回収部を設ける必要である。また、ミーリング装置やパンチ装置などの特別な装置が必要であり、その分装置が大型化したり、コストが嵩む。
【０００８】
この発明は、上記の課題を解消して製本装置を改良し、製本装置を大型化することなく、簡単な構造で製本強度を達成することが可能な製本装置を提供することを目的とする。
【課題を解決するための手段】
【０００９】
前記課題を解決し、かつ目的を達成するために、この発明は、以下のように構成した。
【００１０】
請求項１に記載の発明は、用紙束の端辺部を貼着して製本処理する製本装置であり、
前記製本装置の用紙搬送路に、用紙の製本処理時に貼着する端辺側に切り込みを形成する切り込み形成手段を備えることを特徴とする製本装置である。
【００１１】
請求項２に記載の発明は、前記切り込み形成手段は、
前記用紙搬送路の一部を形成する一対の用紙搬送ガイドと、
回動可能に支持されたブラケットに設けられたカッターと、
前記一対の用紙搬送ガイドによって形成される用紙搬送路に前記カッターを常に臨むように付勢する付勢手段と、
を有し、
搬送される用紙の端辺側が前記カッターに接触して切り込みが形成され、
前記切り込みが形成された用紙の搬送によって前記ブラケットが前記付勢手段の付勢力に抗して押動され、
前記カッターが前記用紙から離間することを特徴とする請求項１に記載の製本装置である。
【００１２】
請求項３に記載の発明は、前記カッターの一部を、前記ブラケットから突出して設け、  前記カッターの突出長さによって前記用紙の切り込み長さを設定することを特徴とする請求項２に記載の製本装置である。
【００１３】
請求項４に記載の発明は、用紙束の端辺部を貼着して製本処理する製本装置であり、
用紙の製本処理時に貼着する端辺側に切り込みを形成する切り込み形成手段を備え、
前記製本装置の用紙搬送路に、スイッチバック経路を配置し、
前記スイッチバック経路の次段に前記切り込み形成手段を備えることを特徴とする製本装置である。
【発明の効果】
【００１４】
前記構成により、この発明は、以下のような効果を有する。
【００１５】
請求項１に記載の発明では、用紙の製本処理時に貼着する端辺側に切り込みを形成することで、切り込みによって製本強度を達成することが可能であり、しかもごみが発生することがなく、ごみが飛散して装置が汚れたり、またごみの回収部を設ける必要がない。
【００１６】
請求項２に記載の発明では、搬送される用紙の端辺側がカッターに接触して切り込みが形成され、切り込みが形成された用紙の搬送によってブラケットが付勢手段の付勢力に抗して押動され、カッターが用紙から離間し、用紙の搬送によって自動的に切り込みが形成される。
【００１７】
請求項３に記載の発明では、カッターの一部を、ブラケットから突出して設け、カッターの突出長さによって用紙の切り込み長さを設定し、用紙の種類や大きさ、厚さになどに応じて製本強度を調節することができる。
【００１８】
請求項４に記載の発明では、製本装置の用紙搬送路に、スイッチバック経路を配置し、スイッチバック経路の次段に切り込み形成手段を備えることで、例えば画像形成装置から搬入される用紙の搬送方向前側の端辺側に切り込みを形成する場合には、スイッチバック経路を用いず、画像形成装置から搬入される用紙の搬送方向後側の端辺側に切り込みを形成する場合には、スイッチバック経路を用いることで、用紙の端辺側に切り込みを形成することができ、種々の画像形成装置に対応することが可能である。
【図面の簡単な説明】
【００１９】
【図１】第１の実施の形態の製本装置の全体構成の概略図である。
【図２】切り込み装置の斜視図である。
【図３】切り込み装置の正面図である。
【図４】切り込み装置の平面図である。
【図５】切り込み装置の右側面図である。
【図６】図３のＶＩ−ＶＩ線に沿う断面図である。
【図７】移動ユニットの正面図である。
【図８】移動ユニットの平面図である。
【図９】移動ユニットの左側面図である。
【図１０】図７のＸ−Ｘ線に沿う断面図である。
【図１１】切り込み形成部を示す図である。
【図１２】カッターユニットの動作を説明する図である。
【図１３】カッターの移動を説明する図である。
【図１４】用紙の切り込み位置の変化を示す図である。
【図１５】第２の実施の形態の製本装置の全体構成の概略図である。
【図１６】スイッチバックを説明する図である。
【発明を実施するための形態】
【００２０】
以下、この発明の製本装置の実施の形態について説明する。この発明の実施の形態は、発明の最も好ましい形態を示すものであり、この発明はこれに限定されない。
【００２１】
［第１の実施の形態］
（製本装置の全体構成）
この実施の形態の製本装置を、図１に示す。図１は製本装置の全体構成の概略図である。
【００２２】
この製本装置１は、用紙整列装置３及びテープ供給装置６及びテープ加熱装置７からなる用紙処理装置５と、用紙搬送装置２と、製本搬送装置４と、収納スタッカ８とを包含して構成される。
【００２３】
用紙搬送装置２には、用紙の搬入口９ａ、排出口９ｂが夫々形成され、用紙の搬入口９ａと排出口９ｂの間には多数組のローラ１０が設置されている。また、搬入口９ａの近傍には分岐ガイド１３が設置され、製本の時は用紙搬送路１４の方へ用紙が分岐され移動するようになっている。分岐ガイド１３によって用紙搬送路１４の方へ分岐された用紙は用紙処理装置５を構成する用紙整列装置３に搬入される。
【００２４】
用紙整列装置３は用紙が積載されるトレー１６と、搬入された用紙を整列する整列パドル１８と、搬入された用紙を整列させて一時的に待機させる回転ストッパー１９と、回転ストッパー１９に整列された用紙をグリップしテープ加熱装置７へ移送させる用紙クランプ１５からなる。回転ストッパー１９及び用紙クランプ１５は、トレー１６に積載された用紙束をグリップしテープ加熱装置７に移動させる。テープ加熱装置７に用紙束が移動すると、テープ供給装置６からテープが供給され、用紙束の端部背面及び側面にテープを付着させる製本工程が行われ、製本完成品は製本搬送装置４によって収納スタッカ８に積載される。
【００２５】
この製本装置１は、用紙束の端辺部を貼着して製本処理し、この製本装置１の用紙搬送路に、用紙の製本処理時に貼着する端辺側に切り込みを形成する切り込み装置２０を備える。この切り込み装置２０は、用紙整列装置３の前段の用紙搬送路１４に配置されている。
【００２６】
（切り込み装置の構成）
この切り込み装置を、図２乃至図１１に示す。図２は切り込み装置の斜視図、図３は切り込み装置の正面図、図４は切り込み装置の平面図、図５は切り込み装置の右側面図、図６は図３のＶＩ−ＶＩ線に沿う断面図、図７は移動ユニットの正面図、図８は移動ユニットの平面図、図９は移動ユニットの左側面図、図１０は図７のＸ−Ｘ線に沿う断面図、図１１は切り込み形成部を示す図である。
【００２７】
この切り込み装置２０は、一対の側板２１，２２が、下部連結軸２３，２４と、上部連結板２５と、上部連結軸２６によって連結されている。この一対の側板２１，２２に、入紙側搬送ローラ軸２７と排紙側搬送ローラ軸２８とが回動可能に支持され、この入紙側搬送ローラ軸２７に入紙側搬送ローラ２９が装着され、排紙側搬送ローラ軸２８に排紙側搬送ローラ３０が装着されている。入紙側搬送ローラ軸２７の側板２１から突出する端部には、駆動ギヤ３１が装着され、排紙側搬送ローラ軸２８の側板２１から突出する端部には、駆動ギヤ３２が装着されている。この駆動ギヤ３１及び駆動ギヤ３２とモータギヤ３３には、タイミングベルト３４が掛け渡され、搬送モータ３５の駆動によってモータギヤ３３、タイミングベルト３４を介して駆動ギヤ３１と駆動ギヤ３２が連動して回転する。搬送モータ３５は、側板２１の内側に取り付けられ、内部スペースを利用して配置されている。
【００２８】
入紙側搬送ローラ２９に対向してガイドローラ３６が配置され、このガイドローラ３６はローラブラケット３７に回動可能に軸支され、このローラブラケット３７は上部連結板２５に固定されている。また、排紙側搬送ローラ３０に対向してガイドローラ３８が配置され、このガイドローラ３８はローラブラケット３９に回動可能に軸支され、このローラブラケット３９は上部連結軸２６に固定されている。入紙側搬送ローラ２９の回転によって用紙がガイドローラ３６に支持されて搬入し、排紙側搬送ローラ３０の回転によってガイドローラ３６に支持されて排出される。
【００２９】
切り込み装置２０には、移動ユニット４０が配置されている。この移動ユニット４０は、用紙搬送路の一部を形成する上側と下側に位置する一対の用紙搬送ガイド４１，４２を有し、この用紙搬送ガイド４１，４２は、用紙搬送路の外側の位置でピン４３により固定されている。上側に位置する用紙搬送ガイド４１の両側には、ガイドピン４４，４５が２個ずつ固定されている。このガイドピン４４は、側板２１に移動可能に支持され、ガイドピン４５は、側板２２に移動可能に支持されている。この側板２２から突出するガイドピン４５の先端には、操作板４６が固定され、この操作板４６には長孔４６ａが搬送方向に形成されている。この長孔４６ａには、移動リンク４７のピン４７ａが係合され、この移動リンク４７は移動モータ４８によって回転される。この移動モータ４８は、ブラケット５０に取り付けられ、このブラケット５０は側板２２に固定されている。
【００３０】
移動モータ４８の駆動によって移動リンク４７が回転し、これによりピン４７ａが回転して長孔４６ａを介して操作板４６に固定された用紙搬送ガイド４１と用紙搬送ガイド４２を用紙搬送路の幅方向に一緒に移動させる。
【００３１】
移動ユニット４０には、カッターユニット６０が配置されている。このカッターユニット６０は、ブラケット６１と一対のカッター６２とを有する。この一対のカッター６２は支持軸６９によって回動可能に支持されているが、ブラケット６１に固定した構成でもよい。一対のカッター６２が回動可能であると、切り込みによって生じる磨耗を平均化することができる。
【００３２】
ブラケット６１は支持軸６３に回動可能に支持され、この支持軸６３は上側の用紙搬送ガイド４１に支持レバー６４を介して片持ち支持されている。ブラケット６１と上側の用紙搬送ガイド４１との間には、付勢手段であるスプリング６５が配置され、このスプリング６５は、上側の用紙搬送ガイド４１に形成された開口部４１ａから一対の用紙搬送ガイド４１，４２によって形成される用紙搬送路に一対のカッター６２を常に臨むように付勢し、ブラケット６１の先端部が下側の用紙搬送ガイド４２に当接した状態が初期位置である。なお、支持軸６３は支持レバー６４を介して片持ち支持されているが、他の支持レバーを設けるなどによって両端で支持するようにしてもよい。
【００３３】
（カッターユニットの動作）
このカッターユニット６０の動作を、図１２に基づいて説明する。用紙１００が一対の用紙搬送ガイド４１，４２によって形成される用紙搬送路に沿って搬送され、この搬送される用紙１００の端辺側１００ａが一対のカッター６２に接触する（図１２（ａ））。用紙１００がさらに搬送されると、用紙１００の端辺側１００ａが一対のカッター６２によって下側の用紙搬送ガイド４２側へ押されながら用紙１００の端辺側１００ａに切り込み１０１が形成される（図１２（ｂ））。さらに切り込みが形成された用紙１００が搬送されると、用紙１００の切り込み１０１位置以外の端辺側１００ａがブラケット６１に当接し、端辺側１００ａがブラケット６１によって下側の用紙搬送ガイド４２側へ押圧され、その反力によってブラケット６１がスプリング６５の付勢力に抗して押し上げられ、一対のカッター６２が用紙１００から離間し（図１２（ｃ））、用紙１００が用紙搬送路を通過する（図１２（ｄ））。
【００３４】
一対のカッター６２は、その一部がブラケット６１から突出して設けられており、用紙１００の端辺側１００ａがカッター６２に接触し、その後に用紙１００の切り込み１０１位置以外の端辺側１００ａによってブラケット６１がスプリング６５の付勢力に抗して押し上げられることから、一対のカッター６２の突出長さＬ１によって用紙１００の切り込み長さＬ２を設定することができ、用紙１００の種類や大きさ、厚さになどに応じて製本強度を調節することができる。この実施の形態では、一対のカッター６２を円盤状の形状としているがこれに限定されず、外周に鋸刃を形成したものでも、また星型形状などでもよい。このような種々の形状のカッターを用いることができるが、用紙１００の切り込みは、用紙１００の切り込み１０１位置以外の端辺側１００ａによってブラケット６１がスプリング６５の付勢力に抗して押し上げられるまで行われるため、用紙１００の切り込み長さＬ２は、カッターの一部がブラケット６１から突出する長さによって設定される。
【００３５】
（カッターの移動）
この一対のカッターの移動を、図１３及び図１４に基づいて説明する。図１３はカッターの移動を説明する図、図１４は用紙の切り込み位置の変化を示す図である。
【００３６】
この実施の形態では、カッターユニット６０が移動ユニット４０に配置されており、移動モータ４８を駆動すると、移動リンク４７が回転してピン４７ａが長孔４６ａを移動することで、操作板４６に固定された用紙搬送ガイド４１と用紙搬送ガイド４２を用紙搬送路の幅方向に一緒に往復して移動し、これとともにカッターユニット６０が移動する。
【００３７】
用紙１００の切り込み１０１のタイミングは、移動モータ４８の駆動により移動リンク４７が回転し、ピン４７ａが側板２２に最も近接する位置で用紙１００の端辺側がカッター６２に接触し、用紙１００の切り込み１０１が形成される（図１３（ａ））。さらに切り込みが形成された用紙１００が搬送され、用紙１００の切り込み１０１位置以外の端辺側によってブラケット６１がスプリング６５の付勢力に抗して押動されて押し上げられ、一対のカッター６２が用紙１００から離間し、用紙１００が用紙搬送路を通過する。
【００３８】
次の用紙１００が用紙搬送路に搬入される前に、移動モータ４８を駆動させて移動リンク４７を回転し、ピン４７ａが側板２２に最も離間する位置に移動する。この移動した位置で、次の用紙１００の端辺側１００ａがカッター６２に接触し、用紙１００の切り込み１０１が形成される（図１３（ｂ））。さらに切り込みが形成された次の用紙１００が搬送され、用紙１００の切り込み１０１位置以外の端辺側１００ａによってブラケット６１がスプリング６５の付勢力に抗して押し上げられ、一対のカッター６２が用紙１００から離間し、用紙１００が用紙搬送路を通過する。このように、ピン４７ａが側板２２に最も近接する位置と、ピン４７ａが側板２２に最も離間する位置との繰り返しで、用紙１００の切り込み１０１が形成される（図１４）。
【００３９】
この実施の形態では、ピン４７ａが側板２２に最も近接する位置と、ピン４７ａが側板２２に最も離間する位置との繰り返しで、用紙１００に切り込み１０１を形成しているが、この中間の位置で用紙１００に切り込み１０１を形成するようにしてもよく、ピン４７ａの回転角度によって切り込み位置を設定することができる。
【００４０】
このように、用紙１００の製本処理時に貼着する端辺側に切り込み１０１を形成することで、切り込み１０１によって製本強度を達成することが可能であり、しかもごみが発生することがなく、ごみが飛散して装置が汚れたり、またごみの回収部を設ける必要がない。
【００４１】
また、搬送される用紙１０１の端辺側がカッター６２に接触して切り込み１０１が形成され、切り込み１０１が形成された用紙１００の搬送によってブラケット６１が付勢手段のスプリング６５付勢力に抗して押動され、カッター６２が用紙１００から離間し、用紙１００の搬送によって自動的に切り込み１０１が形成され、用紙１００の搬送を利用した簡単な構造である。
【００４２】
［第２の実施の形態］
（製本装置の全体構成）
この実施の形態の製本装置を、図１５及び図１６に示す。図１５は製本装置の全体構成の概略図、図１６はスイッチバックを説明する図である。
【００４３】
この製本装置１は、用紙整列装置３及びテープ供給装置６及びテープ加熱装置７からなる用紙処理装置５と、用紙搬送装置２と、製本搬送装置４と、収納スタッカ８とを包含し、第１の実施の形態と同様に構成され、切り込み装置２０も同様に構成される。
【００４４】
この実施の形態では、製本装置１の用紙搬送路に、スイッチバック経路２００を配置し、スイッチバック経路２００の次段に切り込み形成手段を構成する切り込み装置２０を備える。例えば、画像形成装置の右側に製本装置１を接続し、この製本装置１の用紙搬送路に左側から用紙１００が搬入される場合には、スイッチバック経路２００を用いずに、分岐ガイド１３によって切り込み装置２０へ搬送し、用紙１００の搬送方向前側の端辺側に切り込みを形成する。一方、画像形成装置の左側に製本装置１を接続し、この製本装置１の用紙搬送路に右側から用紙１００が搬入される場合には、分岐ガイド１３によって用紙１００をスイッチバック経路２００に導き（図１６（ａ））、用紙１００をスイッチバックし、分岐ガイド１３によって切り込み装置２０へ搬送し（図１６（ｂ））、用紙１００の搬送方向前側の端辺側に切り込みを形成し、種々の画像形成装置に対応することが可能である。
【産業上の利用可能性】
【００４５】
この発明は、プリンター、コピー機、印刷機などのデジタル出力装置から排出される用紙を後処理し製本する製本装置に適用され、製本装置を大型化することなく、簡単な構造で製本強度を達成することが可能である。
【符号の説明】
【００４６】
１  製本装置
２  用紙搬送装置
３  用紙整列装置
４  製本搬送装置
５  用紙処理装置
６  テープ供給装置
７  テープ加熱装置
８  収納スタッカ
１３  分岐ガイド
１４  用紙搬送路
２０  切り込み装置
２１，２２  側板
２７  入紙側搬送ローラ軸
２８  排紙側搬送ローラ軸
２９  入紙側搬送ローラ
３０  排紙側搬送ローラ
３１  駆動ギヤ
３２  駆動ギヤ
３３  モータギヤ
３４  タイミングベルト
３５  搬送モータ
３６  ガイドローラ
３７  ローラブラケット
３８  ガイドローラ
３９  ローラブラケット
４０  移動ユニット
４１，４２  用紙搬送ガイド
４３  ピン
４４，４５  ガイドピン
４６  操作板
４７  移動リンク
４８  移動モータ
６０  カッターユニット
６１  ブラケット
６２  カッター
６３  支持軸
６４  支持レバー
６５  スプリング
２００  スイッチバック経路
【図１】
2013075462.tif 000003
【図２】
2013075462.tif 000004
【図３】
2013075462.tif 000005
【図４】
2013075462.tif 000006
【図５】
2013075462.tif 000007
【図６】
2013075462.tif 000008
【図７】
2013075462.tif 000009
【図８】
2013075462.tif 000010
【図９】
2013075462.tif 000011
【図１０】
2013075462.tif 000012
【図１１】
2013075462.tif 000013
【図１２】
2013075462.tif 000014
【図１３】
2013075462.tif 000015
【図１４】
2013075462.tif 000016
【図１５】
2013075462.tif 000017
【図１６】
2013075462.tif 000018